(57)【要約】【課題】原稿のページ単位でアクセスを制御することができるようにすること。【解決手段】画像処理装置１００は、原稿からページ毎に画像データを読み取る読取部１４０と、原稿のページ毎に出力の可否を判断するための出力制限情報を記憶する出力制限管理情報保存部１３３と、出力制限情報を参照して、原稿のページ毎に出力の可否を判断する出力可否判断部１１３と、出力可否判断部１１３により出力が可と判断されたページの画像データの出力処理を行う処理部１１１と、を備える。【選択図】図１
2014007436.tif 000002
【特許請求の範囲】
【請求項１】
原稿からページ毎に画像データを読み取る読取部と、
前記原稿のページ毎に出力の可否を判断するための出力制限情報を記憶する出力制限管理情報保存部と、
前記出力制限情報を参照して、前記原稿のページ毎に出力の可否を判断する出力可否判断部と、
前記出力可否判断部により出力が可と判断されたページの画像データの出力処理を行う処理部と、を備えること
を特徴とする画像処理装置。
【請求項２】
ユーザ毎に、ユーザの権限の強さを表す権限値を示すユーザ情報を記憶するユーザ情報保存部と、
指示の入力を受け付ける入力部と、をさらに備え、
前記出力制限情報は、前記原稿のページ毎に出力制限の強さを表す出力制限値を示す情報であり、
前記処理部は、前記ユーザ情報を参照して、前記入力部を介して出力指示を行ったユーザの権限値を特定し、
前記出力可否判断部は、前記出力制限値と、前記特定された権限値とをページ毎に比較し、その比較結果により、前記原稿のページ毎に出力の可否を判断すること
を特徴とする請求項１に記載の画像処理装置。
【請求項３】
前記入力部を介して、ページ毎の出力制限値の入力を受け付け、前記出力制限情報として、当該入力されたページ毎の出力制限値を示す情報を生成し、当該生成された情報を前記出力制限情報として前記出力制限管理情報保存部に記憶させる出力制限設定部をさらに備えること
を特徴とする請求項２に記載の画像処理装置。
【請求項４】
前記出力制限情報は、出力の種類毎に、前記原稿のページ毎の出力制限値を示す情報であって、
前記処理部は、前記入力部を介して、出力の種類の選択の入力を受け付け、
前記出力可否判断部は、前記選択された出力の種類における出力制限値と、前記特定された権限値とをページ毎に比較し、その比較結果により、出力の可否を判断すること
を特徴とする請求項２に記載の画像処理装置。
【請求項５】
前記入力部を介して、出力の種類毎に、ページ毎の出力制限値の入力を受け付け、前記出力制限情報として、当該出力の種類毎に入力されたページ毎の出力制限値を示す情報を生成し、当該生成された情報を前記出力制限情報として前記出力制限管理情報保存部に記憶させる出力制限設定部をさらに備えること
を特徴とする請求項４に記載の画像処理装置。
【請求項６】
前記出力制限設定部は、前記読取部が前記原稿から画像データの読み取りを開始した後に、前記入力部を介して、ページ毎の出力制限値の入力を再度受け付け、当該再度受け付けられた入力に基づいて、前記出力制限情報を更新すること
を特徴とする請求項３又は５に記載の画像処理装置。
【請求項７】
前記読取部で読み取られた画像データを記憶する画像データ記憶部をさらに備え、
前記処理部は、前記出力可否判断部により出力が可と判断されたページの画像データを前記画像データ記憶部より読み出して、当該読み出された画像データの出力処理を行うこと
を特徴とする請求項１から６の何れか一項に記載の画像処理装置。
【請求項８】
ネットワークに接続された記憶装置と、前記ネットワークに接続された画像処理装置とを備える画像処理システムであって、
前記記憶装置は、
前記ネットワークとの間で通信を行う通信処理部と、
原稿のページ毎に、出力の可否を判断するための出力制限情報を記憶する出力制限管理情報保存部と、
前記通信処理部を介して、前記出力制限情報を前記画像処理装置に送信する処理を行う制御部と、を備え、
前記画像処理装置は、
前記ネットワークとの間で通信を行う通信処理部と、
前記原稿からページ毎に画像データを読み取る読取部と、
前記画像処理装置の通信処理部を介して、前記出力制限情報を前記記憶装置から受信する処理を行い、前記出力制限情報を参照して、前記原稿のページ毎に出力の可否を判断する出力可否判断部と、
前記出力可否判断部により出力が可と判断されたページの画像データの出力処理を行う処理部と、を備えること
を特徴とする画像処理システム。
【請求項９】
前記出力制限情報は、前記原稿のページ毎に出力制限の強さを表す出力制限値を示す情報であり、
前記記憶装置は、
ユーザ毎に、ユーザの権限の強さを表す権限値を示すユーザ情報を記憶するユーザ情報保存部をさらに備え、
前記制御部は、前記記憶装置の通信処理部を介して、前記ユーザ情報を前記画像処理装置に送信する処理をさらに行い、
前記画像処理装置は、
指示の入力を受け付ける入力部をさらに備え、
前記処理部は、前記画像処理装置の通信処理部を介して、前記記憶装置から前記ユーザ情報を受信する処理を行い、前記ユーザ情報を参照して、前記入力部を介して出力指示を行ったユーザの権限値を特定し、
前記出力可否判断部は、前記出力制限値と、前記特定された権限値とをページ毎に比較し、その比較結果により、前記原稿のページ毎に出力の可否を判断すること
を特徴とする請求項８に記載の画像処理システム。
【請求項１０】
前記画像処理装置は、
前記入力部を介して、ページ毎の出力制限値の入力を受け付け、前記出力制限情報として、当該ページ毎に入力された出力制限値を示す情報を生成し、前記画像処理装置の通信処理部を介して、当該生成された情報を前記出力制限情報として前記記憶装置に送信する処理を行う出力制限設定部をさらに備え、
前記制御部は、前記記憶装置の通信処理部を介して、前記生成された情報を受信する処理をさらに行うとともに、前記生成された情報を前記出力制限情報として前記出力制限管理情報保存部に記憶させる処理をさらに行うこと
を特徴とする請求項９に記載の画像処理システム。
【請求項１１】
前記出力制限情報は、出力の種類毎に、前記原稿のページ毎の出力制限値を示す情報であって、
前記処理部は、前記入力部を介して、出力の種類の選択の入力を受け付け、
前記出力可否判断部は、前記選択された出力の種類における出力制限値と、前記特定された権限値とをページ毎に比較し、その比較結果により、出力の可否を判断すること
を特徴とする請求項９に記載の画像処理システム。
【請求項１２】
原稿からページ毎に画像データを読み取る読取過程と、
前記原稿のページ毎に、出力の可否を判断するための出力制限情報を参照して、前記原稿のページ毎に出力の可否を判断する出力可否判断過程と、
前記出力可否判断過程により出力が可と判断されたページの画像データの出力処理を行う処理過程と、を有すること
を特徴とする画像処理方法。
【発明の詳細な説明】
【技術分野】
【０００１】
本発明は、画像処理装置、画像処理システム及び画像処理方法に関する。
【背景技術】
【０００２】
従来から、ネットワークに接続されたスキャナ及びＭＦＰ（Ｍｕｌｔｉ  Ｆｕｎｃｔｉｏｎ  Ｐｒｉｎｔｅｒ）等の画像処理装置によって、原稿を読み取って画像データを生成する機能が提供されている。特許文献１には、ＨＤＤ（Ｈａｒｄ  Ｄｉｓｋ  Ｄｒｉｖｅ）等のストレージに画像データを保存する際に、データの所有者だけがアクセスできるようにアクセス権を設定する技術が開示されている。このような技術によれば、保存データを印刷、ファクス及びメール等で出力する際のセキュリティを管理することができる。
【先行技術文献】
【特許文献】
【０００３】
【特許文献１】特開２０１１−１１９９５６号公報
【発明の概要】
【発明が解決しようとする課題】
【０００４】
しかしながら、従来の技術は、画像データ単位でアクセス権が設定されている。このため、例えば、画像データの一部のページだけにアクセス権を設定し、他のページについては、データの所有者以外の利用者にもアクセスを認めるような場合には、全てのページを含む電子ファイルと、一部のべ一ジを含まない電子ファイルとを別々に生成して、全てのページを含む電子ファイルにアクセス権を設定する必要があった。このため、非常に手間が掛かり、また、それぞれの電子ファイルを別々に保存するという保存領域の無駄が生じていた。
そこで、本発明は、原稿のページ単位でアクセスを制御することができるようにすることを目的とする。
【課題を解決するための手段】
【０００５】
本発明の一態様に係る画像処理装置は、原稿からページ毎に画像データを読み取る読取部と、前記原稿のページ毎に出力の可否を判断するための出力制限情報を記憶する出力制限管理情報保存部と、前記出力制限情報を参照して、前記原稿のページ毎に出力の可否を判断する出力可否判断部と、前記出力可否判断部により出力が可と判断されたページの画像データの出力処理を行う処理部と、を備えることを特徴とする。
【発明の効果】
【０００６】
本発明の一態様によれば、原稿のページ単位でアクセスを制御することができる。
【図面の簡単な説明】
【０００７】
【図１】複合機の構成を概略的に示すブロック図である。
【図２】実施の形態１におけるユーザ情報の一例を示す概略図である。
【図３】実施の形態１における出力制限管理情報の一例を示す概略図である。
【図４】複合機における画像データ格納出力処理を示すフローチャートである。
【図５】実施の形態１における認証画面の一例を示す概略図である。
【図６】実施の形態１における機能選択画面の一例を示す概略図である。
【図７】実施の形態１における画像データ格納処理を示すフローチャートである。
【図８】実施の形態１における読取設定画面の一例を示す概略図である。
【図９】実施の形態１における出力制限設定画面の一例を示す概略図である。
【図１０】実施の形態１における画像データ出力処理を示すフローチャートである。
【図１１】実施の形態１におけるファイル選択画面の一例を示す概略図である。
【図１２】実施の形態１における出力制限の処理例を示す概略図である。
【図１３】実施の形態１の変形例における出力設定画面の一例を示す概略図である。
【図１４】実施の形態２における出力制限管理情報の一例を示す概略図である。
【図１５】実施の形態２における画像データ格納処理を示すフローチャートである。
【図１６】実施の形態２における出力制限設定画面の一例を示す概略図である。
【図１７】実施の形態２における出力制限再設定処理を示すフローチャートである。
【図１８】実施の形態２における出力制限再設定画面の第１例を示す概略図である。
【図１９】実施の形態２における出力制限再設定画面の第２例を示す概略図である。
【図２０】実施の形態３に係る画像処理システムの構成を概略的に示すブロック図である。
【図２１】実施の形態３における記憶装置の構成を概略的に示すブロック図である。
【発明を実施するための形態】
【０００８】
実施の形態１．
（構成の説明）
図１は、画像処理装置としての複合機１００の構成を概略的に示すブロック図である。複合機１００は、制御部１１０と、プログラム格納部１２０と、データ保存部１３０と、読取部１４０と、パネル部１５０と、印刷部１６０と、通信処理部１７０と、入出力ＩＦ部１７１とを備える。なお、図１の括弧内の符号は、実施の形態２における構成を示す。
【０００９】
制御部１１０は、複合機１００での処理を制御する。制御部１１０は、処理部１１１と、出力制限設定部１１２と、出力可否判断部１１３とを備える。なお、制御部１１０は、例えば、ＣＰＵがプログラム格納部１２０に記憶されているプログラムを実行することにより実現される。
処理部１１１は、複合機１００での処理を統括的に制御する。例えば、処理部１１１は、ユーザの認証処理を行う。また、処理部１１１は、出力可否判断部１１３により出力が可と判断されたページの画像データの出力処理を行う。
出力制限設定部１１２は、読取部１４０で読み取られる原稿のページ毎に、出力制限を設定する処理を行う。例えば、出力制限設定部１１２は、原稿のページ毎に、出力の可否を判断するための出力制限情報を生成する。
出力可否判断部１１３は、出力制限設定部１１２により設定された出力制限に応じて、原稿のページ毎に出力の可否を判断する。例えば、出力可否判断部１１３は、出力制限設定部１１２が生成した出力制限情報を参照することにより、原稿のページ毎に出力の可否を判断する。
【００１０】
プログラム格納部１２０は、制御部１１０で処理を行うために必要なプログラムを記憶する。
【００１１】
データ保存部１３０は、複合機１００での処理に必要なデータを保存する。データ保存部１３０は、保存制御部１３１と、ユーザ情報保存部１３２と、出力制限管理情報保存部１３３と、画像データ保存部１３４とを備える。
保存制御部１３１は、制御部１１０からの制御に応じて、ユーザ情報保存部１３２、出力制限管理情報保存部１３３及び画像データ保存部１３４へのデータの記憶及びこれらからのデータの読み出しを行う。
ユーザ情報保存部１３２は、ユーザ毎にその権限の強さを表す権限値を示すユーザ情報を記憶する。
【００１２】
図２は、実施の形態１におけるユーザ情報ＵＩの一例を示す概略図である。ユーザ情報ＵＩは、ＩＤ欄ＵＩ１と、情報の意味欄ＵＩ２と、対応する値欄ＵＩ３とを有するテーブル形式の情報である。
ＩＤ欄ＵＩ１は、各レコードを識別するためのレコード識別情報を格納する。ここで、レコード識別情報は、ユーザ毎に割り当てられたユーザ識別情報と、各レコードに格納されている値を識別するための値識別情報とにより構成されている。例えば、最上位のレコードに格納されているレコード識別情報の値「１．３．６．１．４．１．２００１．１００．１．１」は、前側の「１．３．６．１．４．１．２００１．１００．１」の部分がユーザ識別情報であり、後側の「１」が値識別情報である。
情報の意味欄ＵＩ２は、対応する値欄ＵＩ３に格納されている値の意味を示す情報を格納する。
対応する値欄ＵＩ３は、情報の意味欄ＵＩ２で特定される意味の値を格納する。本実施の形態では、ユーザのログイン名、パスワード及び権限値が格納される。なお、権限値は、ユーザの権限の強さを示す値であって、値が大きいほどユーザの権限が強いことを示す。
【００１３】
例えば、ＩＤ欄ＵＩ１に「１．３．６．１．４．１．２００１．１００．１．ｘ（ｘは、１〜３の何れかの値）」の値が格納されているレコードは、ユーザの「ログイン名」が「Ｕｓｅｒ１」であり、このユーザのログインの際に使用される「パスワード」が「Ｐａｓｓｗｏｒｄ１」であり、また、このユーザの「権限値」が「５」であることを示している。同様に、ＩＤ欄ＵＩ１に「１．３．６．１．４．１．２００１．１００．２．ｘ（ｘは、１〜３の何れかの値）」の値が格納されているレコードは、ユーザの「ログイン名」が「Ｕｓｅｒ２」であり、このユーザのログインの際に使用される「パスワード」が「Ｐａｓｓｗｏｒｄ２」であり、また、このユーザの「権限値」が「１」であることを示している。
なお、図２に示されているユーザ情報ＵＩは、処理部１１１が、パネル部１５０を介して、ユーザより必要な情報を取得することにより、予め生成され、ユーザ情報保存部１３２に記憶されているものとする。
【００１４】
図１の説明に戻り、出力制限管理情報保存部１３３は、読取対象である原稿毎に、出力制限の対象となるページ及び出力制限の値である出力制限値を含む出力制限管理情報と、原稿に含まれているページ毎に出力制限値を示す出力制限情報とを記憶する。
【００１５】
図３は、実施の形態１における出力制限管理情報ＯＲＩ＃１の一例を示す概略図である。出力制限管理情報ＯＲＩ＃１は、ＩＤ欄ＯＲＩ＃１１と、情報の意味欄ＯＲＩ＃１２と、対応する値欄ＯＲＩ＃１３とを有するテーブル形式の情報である。
ＩＤ欄ＯＲＩ＃１１は、各レコードを識別するためのレコード識別情報を格納する。ここで、レコード識別情報は、原稿の読み取り毎に割り当てられた読取識別情報と、各レコードに格納されている値を識別するための値識別情報とにより構成されている。例えば、最上位のレコードに格納されているレコード識別情報の値「１．３．６．１．４．１．２００１．１１０．１．１」は、前側の「１．３．６．１．４．１．２００１．１１０．１」の部分が読取識別情報であり、後側の「１」が値識別情報である。
情報の意味欄ＯＲＩ＃１２は、対応する値欄ＯＲＩ＃１３に格納されている値の意味を示す情報を格納する。
対応する値欄ＯＲＩ＃１３は、情報の意味欄ＯＲＩ＃１２で特定される意味の値を格納する。本実施の形態では、原稿から読み取られた画像データを納めたファイルのファイル名、出力制限の対象及び出力制限値が格納される。なお、出力制限の対象がページ毎である場合には、出力制限の対象範囲（対象ページ）がさらに格納され、出力制限値は、出力制限の対象範囲毎に格納される。なお、出力制限値は、出力の制限の強さを表す値であり、値が大きいほど制限が強いことを示す。
【００１６】
例えば、ＩＤ欄ＯＲＩ＃１１に「１．３．６．１．４．１．２００１．１１０．１．ｘ（ｘは、１〜３の何れかの値）」の値が格納されているレコードは、画像データを納めたファイルのファイル名が「Ｄｏｃｕｍｅｎｔ１」であり、このファイルに納められている画像データの出力制限対象が「全て」のページであり、このファイルに納められている画像データの出力制限値が「３」であることを示す。即ち、「Ｄｏｃｕｍｅｎｔ１」のファイルに納められている「全て」の画像データの出力制限値が「３」となる。
また、ＩＤ欄ＯＲＩ＃１１に「１．３．６．１．４．１．２００１．１１０．２．ｘ（ｘは、‘１’、‘２’、‘３．１．１’、‘３．１．２’、‘３．２．１’、‘３．２．２’、‘３．３．１’及び‘３．３．２’の何れかの値）」の値が格納されているレコードは、画像データを納めたファイルのファイル名が「Ｄｏｃｕｍｅｎｔ２」であり、このファイルに納められている画像データの出力制限対象が「ページ毎」であることを示している。そして、このレコードは、出力制限の対象範囲「１」ページの画像データの出力制限値が「２」であり、出力制限の対象範囲「２〜３」ページの画像データの出力制限値が「３」であり、出力制限の対象範囲として特定されている「範囲外」のページ（ここでは、「１」及び「２〜３」ページ以外のページ）の画像データの出力制限値が「１」であることを示す。即ち、「Ｄｏｃｕｍｅｎｔ２」のファイルに納められている画像データは、「１」ページの画像データの出力制限値が「２」となり、「２〜３」ページの画像データの出力制限値が「３」となり、「１、２、３」ページ以外のページの画像データの出力制限値が「１」となる。
【００１７】
図１の説明に戻り、画像データ保存部１３４は、読取部１４０で読み取られた画像データを記憶する。
【００１８】
読取部１４０は、原稿から画像データを読み取る。読取部１４０は、読取機構部１４１と、読取制御部１４２とを備える。
読取機構部１４１は、原稿から画像データを読み取る。例えば、読取機構部１４１には、原稿送り機構及び光源等が含まれる。
読取制御部１４２は、制御部１１０からの指示に応じて、読取機構部１４１を制御する。
【００１９】
パネル部１５０は、画面を表示する表示部、及び、ユーザからの指示の入力を受け付ける入力部である。パネル部１５０は、パネル表示部１５１と、パネル操作部１５２と、パネル制御部１５３とを備える。
パネル表示部１５１は、画面を表示する。本実施の形態においては、パネル表示部１５１は、ユーザに対して装置の状態及び設定等の情報を提供する。
パネル操作部１５２は、ユーザからの指示の入力を受け付ける。パネル操作部１５２は、ユーザが複合機１００に対して何らかの操作を行う際に使用するボタン等を含む。
パネル制御部１５３は、制御部１１０からの指示に応じて、パネル表示部１５１及びパネル操作部１５２を制御する。
【００２０】
印刷部１６０は、媒体に画像を形成する画像形成部である。印刷部１６０は、印刷機構部１６１と、印刷制御部１６２とを備える。
印刷機構部１６１は、媒体に画像を形成する画像形成機構部である。例えば、印刷機構部１６１は、紙送り機構及び印刷ヘッド等を含む。
印刷制御部１６２は、制御部１１０からの指示に応じて、印刷機構部１６１を制御する画像形成制御部である。
【００２１】
通信処理部１７０は、ネットワーク１８０との間で通信を行う。ネットワーク１８０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）及びＰＳＴＮ（Ｐｕｂｌｉｃ  Ｓｗｉｔｃｈｅｄ  Ｔｅｌｅｐｈｏｎｅ  Ｎｅｔｗｏｒｋｓ）等である。なお、通信処理部１７０と、ネットワーク１８０との間は、ＬＡＮケーブル及び電話線等の有線で接続されていてもよく、また、無線で接続されていてもよい。
【００２２】
入出力ＩＦ部１７１は、可搬メモリとの間でデータの入出力を行うための入出力インターフェース部である。
【００２３】
（動作の説明）
図４は、複合機１００における画像データ格納出力処理を示すフローチャートである。
まず、処理部１１１は、パネル制御部１５３に指示して、パネル表示部１５１に認証画面を表示させる（Ｓ１０）。
【００２４】
図５は、実施の形態１における認証画面１９０の一例を示す概略図である。認証画面１９０は、ログイン名入力領域１９０ａと、パスワード入力領域１９０ｂと、確定指示入力領域１９０ｃと、キャンセル入力領域１９０ｄとを有する。そして、パネル操作部１５２は、ログイン名入力領域１９０ａでユーザのログイン名の入力を受け付け、パスワード入力領域１９０ｂでユーザのパスワードの入力を受け付ける。そして、パネル制御部１５３は、確定指示入力領域１９０ｃを選択した実行指示の入力をパネル操作部１５２が受けると、ログイン名入力領域１９０ａに入力されたログイン名及びパスワード入力領域１９０ｂに入力されたパスワードを処理部１１１に与える。
【００２５】
図４の説明に戻り、処理部１１１は、認証画面１９０に入力されたログイン名及びパスワードの認証を行う（Ｓ１１）。例えば、処理部１１１は、ユーザ情報保存部１３２に記憶されているユーザ情報ＵＩにおいて、入力されたログイン名及びパスワードが、同じユーザ識別情報に対応付けられて記憶されている場合には、認証成功と判断する。そして、処理部１１１は、認証成功と判断した場合（Ｓ１１：Ｙｅｓ）には、ステップＳ１２に処理を進め、認証失敗と判断した場合（Ｓ１１：Ｎｏ）には、ステップＳ１０に処理を進める。
【００２６】
ステップＳ１２では、処理部１１１は、パネル制御部１５３に指示して、パネル表示部１５１に機能選択画面を表示させて、パネル操作部１５２を介して、機能選択の入力を受け付ける。
【００２７】
図６は、実施の形態１における機能選択画面１９１の一例を示す概略図である。機能選択画面１９１は、コピー指示入力領域１９１ａと、スキャン指示入力領域１９１ｂと、ファックス指示入力領域１９１ｃと、プリント指示入力領域１９１ｄとを有する。そして、パネル制御部１５３は、これらの何れかの指示入力領域を選択した実行指示の入力をパネル操作部１５２が受けると、選択された機能に対応する実行要求を処理部１１１に与える。
【００２８】
図４の説明に戻り、次に、処理部１１１は、パネル制御部１５３から受け取った要求が画像データ格納要求であるか否かを判断する（Ｓ１３）。例えば、本実施の形態においては、図６に示されている機能選択画面１９１においてスキャン指示入力領域１９１ｂを選択した実行指示の入力が行われた際に、パネル制御部１５３は、画像データ格納要求を処理部１１１に与える。そして、処理部１１１は、受け取った要求が画像データ格納要求である場合（Ｓ１３：Ｙｅｓ）には、ステップＳ１４に処理を進め、受け取った要求が画像データ格納要求ではない場合（Ｓ１３：Ｎｏ）には、ステップＳ１５に処理を進める。
【００２９】
ステップＳ１４では、出力制限設定部１１２が、画像データ格納処理を実行する。このステップでの処理については、図７を用いて詳細に説明する。
【００３０】
一方、ステップＳ１５では、処理部１１１は、パネル制御部１５３から受け取った要求が画像データ出力要求であるか否かを判断する。例えば、本実施の形態においては、図６に示されている機能選択画面１９１においてプリント指示入力領域１９１ｄを選択した実行指示の入力が行われた際に、パネル制御部１５３は、画像データ出力要求を処理部１１１に与える。そして、処理部１１１は、受け取った要求が画像データ出力要求である場合（Ｓ１５：Ｙｅｓ）には、ステップＳ１６に処理を進める。一方、処理部１１１は、受け取った要求が画像データ出力要求ではない場合（Ｓ１５：Ｎｏ）には、フローを終了し、選択された機能を実行する。
【００３１】
ステップＳ１６では、出力可否判断部１１３は、画像データ出力処理を実行する。このステップでの処理については、図１０を用いて詳細に説明する。
【００３２】
図７は、画像データ格納処理を示すフローチャートである。
まず、出力制限設定部１１２は、パネル制御部１５３に指示して、パネル表示部１５１に読取設定画面を表示させる（Ｓ２０）。
【００３３】
図８は、実施の形態１における読取設定画面１９２の一例を示す概略図である。読取設定画面１９２は、ファイル名表示領域１９２ａと、読取品質表示領域１９２ｂと、出力制限表示領域１９２ｃと、編集指示入力領域１９２ｄ、１９２ｅ、１９２ｆと、読取開始指示入力領域１９２ｇとを有する。
例えば、ファイル名表示領域１９２ａ、読取品質表示領域１９２ｂ及び出力制限表示領域１９２ｃには、デフォルトで予め定められる値が表示されている。具体的には、ファイル名表示領域１９２ａには、原稿から読み取られる画像データを納めるファイルに一意となるように割り当てられたファイル名が表示される。例えば、出力制限設定部１１２は、一意となるように連番等を用いて、ファイル名を割り当てる。但し、出力制限設定部１１２は、パネル操作部１５２を介して、編集指示入力領域１９２ｄを選択した実行指示の入力を受けた場合には、パネル操作部１５２を介して、ユーザよりファイル名の入力を受け付ける。そして、出力制限設定部１１２は、パネル操作部１５２を介して入力されたファイル名が、他のファイル名と一致しないことを確認してから、画像データのファイル名を変更する。読取品質表示領域１９２ｂには、原稿から画像データを読み取る際の読取品質が表示される。この読取品質は、例えば、予め定められた「普通」の設定がデフォルトの設定となっている。但し、出力制限設定部１１２は、パネル操作部１５２を介して、編集指示入力領域１９２ｅを選択した実行指示の入力を受けた場合には、パネル操作部１５２を介して、ユーザより読取品質の設定の入力を受け付ける。そして、出力制限設定部１１２は、画像データの読取品質の設定を変更する。出力制限表示領域１９２ｃには、原稿から読み取られる画像データの出力制限の有無が表示される。デフォルトでは、出力制限は「なし」に設定されている。但し、出力制限設定部１１２は、パネル操作部１５２を介して、編集指示入力領域１９２ｆを選択した実行指示の入力を受けた場合には、パネル制御部１５３に指示して、パネル表示部１５１に、出力制限の設定の入力を受け付けるための出力制限設定画面を表示させる。
【００３４】
図９は、実施の形態１における出力制限設定画面１９３の一例を示す概略図である。
出力制限設定画面１９３は、全ページ一括設定指示入力領域１９３ａと、ページ毎の詳細設定指示入力領域１９３ｂと、出力制限表示領域１９３ｃと、全体出力制限選択入力領域１９３ｄと、ページ番号／範囲入力領域１９３ｅ、１９３ｆ、１９３ｇ、１９３ｈと、指定外表示領域１９３ｉと、ページ出力制限選択入力領域１９３ｋ、１９３ｌ、１９３ｍ、１９３ｎと、確定指示入力領域１９３ｏと、キャンセル指示入力領域１９３ｐとを有する。
まず、出力制限設定部１１２は、パネル操作部１５２を介して、ユーザから全ページ一括設定指示入力領域１９３ａ及びページ毎の詳細設定指示入力領域１９３ｂの何れか一方の選択を受け付ける。ユーザが全ページの画像データについて同じ出力制限値を設定する場合には、全ページ一括設定指示入力領域１９３ａが選択される。一方、ユーザがページ毎に（部分毎に）画像データの出力制限値を設定（変更）する場合には、ページ毎の詳細設定指示入力領域１９３ｂが選択される。
全ページ一括設定指示入力領域１９３ａが選択された場合において、パネル操作部１５２を介して、ユーザから全体出力制限選択入力領域１９３ｄを指定した実行指示の入力を受けたときには、出力制限設定部１１２は、パネル制御部１５３に指示することで、プルダウンメニュー１９３ｑをパネル表示部１５１に表示させる。そして、出力制限設定部１１２は、パネル操作部１５２を介して、このプルダウンメニュー１９３ｑにおいて、出力制限値の選択を受ける。
一方、ページ毎の詳細設定指示入力領域１９３ｂが選択された場合には、出力制限設定部１１２は、パネル操作部１５２を介して、ページ番号／範囲入力領域１９３ｅ、１９３ｆ、１９３ｇ、１９３ｈにおいて、ユーザからページ番号の入力を受ける。そして、出力制限設定部１１２は、パネル操作部１５２を介して、ユーザからページ出力制限選択入力領域１９３ｋ、１９３ｌ、１９３ｍ、１９３ｎを指定した実行指示の入力を受けると、パネル制御部１５３に指示することで、プルダウンメニュー１９３ｒをパネル表示部１５１に表示させる。そして、出力制限設定部１１２は、パネル操作部１５２を介して、このプルダウンメニュー１９３ｒにおいて、出力制限値の選択を受ける。
出力制限設定部１１２は、パネル操作部１５２を介して、ユーザから確定指示入力領域１９３ｏを選択した実行指示の入力を受けた場合には、パネル制御部１５３に指示することで、出力制限設定画面１９３の表示を終了させて、再び、図８に示されている読取設定画面１９２をパネル表示部１５１に表示させる。このとき、出力制限設定部１１２は、出力制限設定画面１９３を介して入力された出力制限の設定を出力制限管理情報保存部１３３に保存する。
【００３５】
図８の説明に戻り、出力制限設定部１１２は、パネル操作部１５２を介して、読取開始指示入力領域１９２ｇを選択した実行指示の入力を受けると、読取制御部１４２に指示することで、原稿から画像データを読み取らせる。
【００３６】
図７の説明に戻り、出力制限設定部１１２は、パネル操作部１５２を介して、ユーザから出力制限変更指示を受けたか否かを判断する（Ｓ２１）。例えば、出力制限設定部１１２は、図９に示されている出力制限設定画面１９３において、出力制限値が選択され、パネル操作部１５２を介して、ユーザから確定指示入力領域１９３ｏを選択した実行指示の入力を受けた場合に、出力制限変更指示を受けたと判断する。そして、出力制限設定部１１２は、出力制限変更指示を受けた場合（Ｓ２１：Ｙｅｓ）には、ステップＳ２２に処理を進め、出力制限変更指示を受けていない場合（Ｓ２１：Ｎｏ）には、ステップＳ２３に処理を進める。
【００３７】
ステップＳ２２では、出力制限設定部１１２は、図９に示されている出力制限設定画面１９３を介して入力された出力制限の設定を、出力制限管理情報ＯＲＩ＃１に追加する。
【００３８】
ステップＳ２３では、出力制限設定部１１２は、パネル操作部１５２を介して、ユーザから読取開始指示を受けたか否かを判断する。例えば、出力制限設定部１１２は、パネル操作部１５２を介して、読取開始指示入力領域１９２ｇを選択した実行指示の入力を受けた場合には、読取開始指示を受けたと判断する。そして、出力制限設定部１１２は、読取開始指示を受けた場合（Ｓ２３：Ｙｅｓ）には、ステップＳ２４に処理を進め、読取開始指示を受けていない場合（Ｓ２３：Ｎｏ）には、ステップＳ２１に処理を進める。
【００３９】
ステップＳ２４では、出力制限設定部１１２は、処理対象ページを初期化する。例えば、出力制限設定部１１２は、処理対象ページを１ページにする。
【００４０】
次に、出力制限設定部１１２は、処理対象ページに対応するページが原稿に残っているか否かを判断する。そして、出力制限設定部１１２は、ページが残っている場合（Ｓ２５：Ｙｅｓ）には、ステップＳ２６に処理を進め、ページが残っていない場合（Ｓ２５：Ｎｏ）には、フローを終了する。
【００４１】
ステップＳ２６では、処理部１１１は、読取制御部１４２に指示することで、処理対象ページの画像データを生成させる。そして、読取制御部１４２は、保存制御部１３１に指示することで、生成された画像データを画像データ保存部１３４に保存させる。
【００４２】
次に、出力制限設定部１１２は、ステップＳ２２で出力制限管理情報ＯＲＩ＃１に追加された出力制限の設定から、ステップＳ２６で画像データが保存されたページの出力制限値を取得し、ステップＳ２６で画像データが保存されたページに対応付けて、取得した出力制限値を、読取対象となっている原稿の出力制限情報に格納する（Ｓ２７）。なお、出力制限設定部１１２は、出力制限管理情報保存部１３３に、読取対象となっている原稿の出力制限情報が記憶されていない場合には、このステップで、読取対象となっている原稿の出力制限情報を生成する。
【００４３】
次に、出力制限設定部１１２は、処理対象ページを次のページに更新して（Ｓ２８）、ステップＳ２５に処理を進める。
【００４４】
図１０は、画像データ出力処理を示すフローチャートである。
まず、出力可否判断部１１３は、画像データ保存部１３４に格納されているファイルの状態を取得した上で、パネル制御部１５３に指示することで、印刷するファイルを選択するファイル選択画面をパネル表示部１５１に表示させる（Ｓ３０）。
【００４５】
図１１は、実施の形態１におけるファイル選択画面１９４の一例を示す概略図である。
ファイル選択画面１９４は、ファイル名表示領域１９４ａと、印刷指示入力領域１９４ｂ、１９４ｃ、１９４ｄとを有する。
ファイル名表示領域１９４ａには、画像データ保存部１３４に記憶されているファイルのファイル名のリストが表示される。
印刷指示入力領域１９４ｂ、１９４ｃ、１９４ｄは、ファイル名表示領域１９４ａに表示されているそれぞれのファイル名に隣接した位置にそれぞれ配置されている。そして、パネル操作部１５２を介して、何れかの印刷指示入力領域１９４ｂ、１９４ｃ、１９４ｄを選択した実行指示の入力が行われると、選択された印刷指示入力領域１９４ｂ、１９４ｃ、１９４ｄに隣接したファイル名を特定した出力開始指示が、パネル制御部１５３から出力可否判断部１１３に送られる。例えば、図１１では、印刷指示入力領域１９４ｂを選択した実行指示の入力が行われると、「Ｄｏｃｕｍｅｎｔ１」のファイル名を特定した出力開始指示が、パネル制御部１５３から出力可否判断部１１３に送られる。
【００４６】
図１０の説明に戻り、次に、出力可否判断部１１３は、パネル制御部１５３から出力開始指示を受けたか否かを判断する（Ｓ３１）。そして、出力可否判断部１１３は、出力開始指示を受けた場合（Ｓ３１：Ｙｅｓ）には、ステップＳ３２に処理を進め、出力開始指示を受けていない場合（Ｓ３１：Ｎｏ）には、ステップＳ３０に処理を進める。
【００４７】
ステップＳ３２では、出力可否判断部１１３は、受け取った出力開始指示で特定されているファイルの画像データを画像データ保存部１３４から取得する。
【００４８】
次に、出力可否判断部１１３は、出力を指示したユーザ（ログインしたユーザ）の権限情報をユーザ情報保存部１３２から取得する（Ｓ３３）。
【００４９】
次に、出力可否判断部１１３は、処理対象ページを初期化する（Ｓ３４）。例えば、出力可否判断部１１３は、処理対象ページを１ページにする。
【００５０】
次に、出力可否判断部１１３は、処理対象ページに対応するページの画像データが残っているか否かを判断する（Ｓ３５）。そして、出力可否判断部１１３は、画像データが残っている場合（Ｓ３５：Ｙｅｓ）には、ステップＳ３６に処理を進め、画像データが残っていない場合（Ｓ３５：Ｎｏ）には、フローを終了する。
【００５１】
ステップＳ３６では、出力可否判断部１１３は、処理対象ページの出力制限値を、出力制限管理情報保存部１３３に記憶されている出力制限情報から取得する。そして、出力可否判断部１１３は、取得された出力制限値と、ステップＳ３３で取得したユーザの権限情報で示されるユーザの権限値とを比較する。
【００５２】
次に、出力可否判断部１１３は、処理対象ページの出力制限値と、ユーザの権限値との比較結果により、出力が可能か否かを判断する（Ｓ３７）。例えば、出力可否判断部１１３は、ユーザの権限値が処理対象ページの出力制限値以上である場合に、出力が可能と判断する。そして、出力可否判断部１１３は、出力が可能と判断した場合（ステップＳ３７：Ｙｅｓ）には、ステップＳ３８に処理を進め、出力が可能ではないと判断した場合（ステップＳ３７：Ｎｏ）には、ステップＳ３９に処理を進める。
【００５３】
ステップＳ３８では、処理部１１１は、処理対象ページの画像データの出力処理を行う。例えば、本実施の形態では、処理部１１１は、印刷制御部１６２に指示することにより、処理対象ページの画像データの印刷を印刷部１６０に行わせる。
【００５４】
ステップＳ３９では、出力可否判断部１１３は、処理対象ページを次のページに更新して、ステップＳ３５に処理を進める。
【００５５】
例えば、図２に示されている「Ｕｓｅｒ１」が、図３に示されている「Ｄｏｃｕｍｅｎｔ２」の印刷指示を行った場合、「Ｕｓｅｒ１」の権限値「５」は、「Ｄｏｃｕｍｅｎｔ２」のページ毎に設定された全ての出力制限値よりも大きいため、全てのページが印刷される。一方、図２に示されている「Ｕｓｅｒ２」が、図３に示されている「Ｄｏｃｕｍｅｎｔ２」の印刷指示を行った場合、「Ｕｓｅｒ２」の権限値「１」は、「Ｄｏｃｕｍｅｎｔ２」のページ１に設定されている出力制限値「２」、そのページ２から３に設定されている出力制限値「３」よりも小さいため、ページ１から３以外のページが印刷される。以上の関係を示したのが、図１２である。
【００５６】
以上のように、実施の形態１によれば、ユーザの権限に応じて別のファイルを準備して格納しておく必要がなくなるため、ファイル作成の手間及びファイルを格納する容量を削減することができる。
【００５７】
なお、以上に記載した実施の形態１では、画像データの出力として印刷を行う例を説明したが、画像データの出力は、印刷に限られるものではない。例えば、画像データの出力として、画像データをファクシミリ機能により送信するファックス送信、画像データを電子メールに添付して送信する電子メール送信、画像データを所定のプロトコルに従ってネットワーク１８０に転送するファイル転送、及び、入出力ＩＦ部１７１を介して画像データを可搬メモリ（例えば、ＵＳＢメモリ等）に記憶する外部メモリ転送が行われてもよい。言い換えると、出力の種類は、印刷の他、ファックス送信、電子メール送信、ファイル転送及び外部メモリ転送であってもよい。
【００５８】
出力制限設定部１１２は、図９に示されている出力制限設定画面１９３の代わりに、図１３に示されている出力設定画面１９５を用いることで、印刷、ファックス送信及びメール送信等の出力の種類毎に、ページ毎の出力制限値を設定することができる。なお、図１３に示されている出力設定画面１９５に、ファイル転送、外部メモリ転送及びその他の出力の種類用の入力領域を追加することで、これらの出力の種類についても、ページ毎の出力制限値を設定することができる。
【００５９】
なお、実施の形態１では、原稿から画像データを読み取る際に、出力制限を設定する出力制限情報が生成されている。この出力制限情報は、ＭＩＢ（Ｍａｎａｇｅｍｅｎｔ  Ｉｎｆｏｒｍａｔｉｏｎ  Ｂａｓｅ）情報として定義することで、一般のＳＮＭＰ（Ｓｉｍｐｌｅ  Ｎｅｔｗｏｒｋ  Ｍａｎａｇｅｍｅｎｔ  Ｐｒｏｔｏｃｏｌ）ツール等で、参照及び編集することができる。また、この情報は、Ｗｅｂブラウザ及び複合機１００のパネル操作部１５２からの参照及び編集も想定されている。
【００６０】
実施の形態２．
（構成の説明）
図１に示されているように、実施の形態２に係る複合機２００は、制御部２１０と、プログラム格納部１２０と、データ保存部２３０と、読取部１４０と、パネル部１５０と、印刷部１６０と、通信処理部１７０と、入出力ＩＦ部１７１とを備える。実施の形態２に係る複合機２００は、制御部２１０での処理及びデータ保存部２３０に記憶されている情報において、実施の形態１に係る複合機１００と異なっている。
【００６１】
制御部２１０は、複合機２００での処理を制御する。制御部２１０は、処理部１１１と、出力制限設定部２１２と、出力可否判断部１１３とを備える。実施の形態２における制御部２１０は、出力制限設定部２１２での処理において、実施の形態１における制御部１１０と異なっている。
【００６２】
出力制限設定部２１２は、読取部１４０で読み取られる原稿のページ毎に、出力制限を設定する処理を行う。ここで、実施の形態２における出力制限設定部２１２は、実施の形態１における出力制限設定部１１２と同様の処理を行う他、パネル部１５０を介して、出力制限を再設定するか否か、及び、再設定する場合にはその条件の入力を受け付ける。そして、出力制限設定部２１２は、読取部１４０が原稿より画像データの読み取りを開始した後で、再設定する条件が満たされた場合に、パネル部１５０を介して、ページ毎の出力制限値の入力を再度受け付け、再度受け付けられた入力に基づいて、出力制限情報を更新する。
【００６３】
データ保存部２３０は、複合機２００での処理に必要なデータを保存する。データ保存部２３０は、保存制御部１３１と、ユーザ情報保存部１３２と、出力制限管理情報保存部２３３と、画像データ保存部１３４とを備える。実施の形態２におけるデータ保存部２３０は、出力制限管理情報保存部２３３に記憶されている情報において、実施の形態１におけるデータ保存部１３０と異なっている。
【００６４】
出力制限管理情報保存部２３３は、原稿毎に、出力制限の対象となるページ及び出力制限値を含む出力制限管理情報と、原稿に含まれているページ毎に出力制限値を示す出力制限情報とを記憶する。実施の形態２における出力制限管理情報保存部２３３は、記憶している出力制限管理情報において、実施の形態１における出力制限管理情報保存部２３３と異なっている。
【００６５】
図１４は、実施の形態２における出力制限管理情報ＯＲＩ＃２の一例を示す概略図である。出力制限管理情報ＯＲＩ＃２は、ＩＤ欄ＯＲＩ＃２１と、情報の意味欄ＯＲＩ＃２２と、対応する値欄ＯＲＩ＃２３とを有するテーブル形式の情報である。
ＩＤ欄ＯＲＩ＃２１は、各レコードを識別するためのレコード識別情報を格納する。レコード識別情報は、読取識別情報と、値識別情報とにより構成されているが、下から二つのレコードに格納されている「１．３．６．１．４．１．２００１．１２０．１」の値及び「１．３．６．１．４．１．２００１．１２０．２」の値は、固有の値となっている。
情報の意味欄ＯＲＩ＃２２は、対応する値欄ＯＲＩ＃２３に格納されている値の意味を示す情報を格納する。
対応する値欄ＯＲＩ＃２３は、情報の意味欄ＯＲＩ＃２２で特定される意味の値を格納する。実施の形態２においても、本実施の形態１と同様に、原稿から読み取られた画像データを納めたファイルのファイル名、出力制限の対象及び出力制限値が格納される。さらに、実施の形態２においては、出力制限を再設定するか否か及び出力制限を再設定する条件を示す値、並びに、再設定を行うページ番号がさらに格納される。
例えば、ＩＤ欄ＯＲＩ＃２１に、「１．３．６．１．４．１．２００１．１２０．１」の値と、「１．３．６．１．４．１．２００１．１２０．２」の値とが格納されているレコードが、実施の形態２において新たに追加されたレコードである。「１．３．６．１．４．１．２００１．１２０．１」の値が格納されているレコードには、複合機２００において出力制限を再設定する際の条件を示す値が格納される。また、「１．３．６．１．４．１．２００１．１２０．１」の値が格納されているレコードにおいて、複合機２００において出力制限を再設定する際の条件として、指定されたページにおいて出力制限を再設定する条件が選択されたため、「１．３．６．１．４．１．２００１．１２０．２」の値が格納されているレコードには、再設定画面を表示するページを示すページ番号「３，５」が格納される。
【００６６】
（動作の説明）
図１５は、画像データ格納処理を示すフローチャートである。図１５に示されているステップにおいて、図７に示されているステップの処理と同様の処理を行っているステップについては、図７と同じ符号が付されている。
【００６７】
まず、出力制限設定部２１２は、パネル制御部１５３に指示して、パネル表示部１５１に読取設定画面を表示させる（Ｓ４０）。実施の形態２においても、実施の形態１と同様に、図８に示されているような読取設定画面１９２が表示される。そして、出力制限設定部２１２は、パネル操作部１５２を介して、編集指示入力領域１９２ｆを選択した実行指示の入力を受けた場合には、パネル制御部１５３に指示して、パネル表示部１５１に、出力制限の設定の入力を受け付けるための出力制限設定画面を表示させる。
【００６８】
図１６は、実施の形態２における出力制限設定画面２９３の一例を示す概略図である。
出力制限設定画面２９３は、全ページ一括設定指示入力領域１９３ａと、ページ毎の詳細設定指示入力領域１９３ｂと、出力制限表示領域１９３ｃと、全体出力制限選択入力領域１９３ｄと、ページ番号／範囲入力領域１９３ｅ、１９３ｆ、１９３ｇ、１９３ｈと、指定外表示領域１９３ｉと、ページ出力制限選択入力領域１９３ｋ、１９３ｌ、１９３ｍ、１９３ｎと、確定指示入力領域１９３ｏと、キャンセル指示入力領域１９３ｐと、出力制限の途中変更なし指示入力領域２９３ｓと、原稿終了時指示入力領域２９３ｔと、ページ毎の再設定指示入力領域２９３ｕと、再設定画面の表示場所指定指示入力領域２９３ｖと、ページ番号入力領域２９３ｗとを有する。
全ページ一括設定指示入力領域１９３ａ、ページ毎の詳細設定指示入力領域１９３ｂ、出力制限表示領域１９３ｃ、全体出力制限選択入力領域１９３ｄ、ページ番号／範囲入力領域１９３ｅ、１９３ｆ、１９３ｇ、１９３ｈ、指定外表示領域１９３ｉ、ページ出力制限選択入力領域１９３ｋ、１９３ｌ、１９３ｍ、１９３ｎ、及び、確定指示入力領域１９３ｏについては、実施の形態１における出力制限設定画面１９３（図９）と同様である。
【００６９】
出力制限設定部２１２は、パネル操作部１５２を介して、ユーザから出力制限の途中変更なし指示入力領域２９３ｓ、原稿終了時指示入力領域２９３ｔ、ページ毎の再設定指示入力領域２９３ｕ又は再設定画面の表示場所指定指示入力領域２９３ｖの選択を受ける。
出力制限の途中変更なし指示入力領域２９３ｓは、ユーザが出力制限の再設定を行わない場合に選択される。
原稿終了時指示入力領域２９３ｔは、原稿の読み取り終了時に、ユーザが出力制限の再設定を行う場合に選択される。
ページ毎の再設定指示入力領域２９３ｕは、原稿から１ページの画像データを読み取る毎に、ユーザが出力制限の再設定を行う場合に選択される。
再設定画面の表示場所指定指示入力領域２９３ｖは、ユーザが出力制限の再設定を行う場所（ページ）を指定する場合に選択される。そして、再設定の表示場所指定指示入力領域２９３ｖが選択された場合に、ページ番号入力領域２９３ｗは、ユーザから、再設定を行うページ番号の入力を受け付ける。
【００７０】
図１５の説明に戻り、出力制限設定部２１２は、パネル操作部１５２を介して、ユーザから出力制限変更指示を受けたか否かを判断する（Ｓ２１）。そして、出力制限設定部２１２は、出力制限変更指示を受けた場合（Ｓ２１：Ｙｅｓ）には、ステップＳ４１に処理を進め、出力制限変更指示を受けていない場合（Ｓ２１：Ｎｏ）には、ステップＳ２３に処理を進める。
【００７１】
ステップＳ４１では、出力制限設定部２１２は、図１６に示されている出力制限設定画面２９３を介して入力された出力制限の設定を、出力制限管理情報ＯＲＩ＃２に追加する。例えば、出力制限設定部２１２は、図１６に示されている出力制限設定画面２９３において、出力制限の途中変更なし指示入力領域２９３ｓが選択された場合には、図１４に示されている出力制限管理情報ＯＲＩ＃２において、ＩＤ欄ＯＲＩ＃２１に「１．３．６．１．４．１．２００１．１２０．１」の値が格納されているレコードの対応する値欄ＯＲＩ＃２３に「０」の値を格納する。また、出力制限設定部２１２は、出力制限設定画面２９３において、原稿終了時指示入力領域２９３ｔが選択された場合には、出力制限管理情報ＯＲＩ＃２において、ＩＤ欄ＯＲＩ＃２１に「１．３．６．１．４．１．２００１．１２０．１」の値が格納されているレコードの対応する値欄ＯＲＩ＃２３に「１」の値を格納する。さらに、出力制限設定部２１２は、出力制限設定画面２９３において、ページ毎の再設定指示入力領域２９３ｕが選択された場合には、出力制限管理情報ＯＲＩ＃２において、ＩＤ欄ＯＲＩ＃２１に「１．３．６．１．４．１．２００１．１２０．１」の値が格納されているレコードの対応する値欄ＯＲＩ＃２３に「２」の値を格納する。さらにまた、出力制限設定部２１２は、出力制限設定画面２９３において、再設定画面の表示場所指定指示入力領域２９３ｖが選択された場合には、出力制限管理情報ＯＲＩ＃２において、ＩＤ欄ＯＲＩ＃２１に「１．３．６．１．４．１．２００１．１２０．１」の値が格納されているレコードの対応する値欄ＯＲＩ＃２３に「３」の値を格納する。そして、出力制限設定部２１２は、出力制限管理情報ＯＲＩ＃２において、ＩＤ欄ＯＲＩ＃２１に「１．３．６．１．４．１．２００１．１２０．２」の値が格納されているレコードの対応する値欄ＯＲＩ＃２３に、ページ番号入力領域２９３ｗに入力されたページ番号を格納する。
【００７２】
ステップＳ２３〜Ｓ２５までの処理は、図７におけるステップＳ２３〜Ｓ２５までの処理と同様である。但し、ステップＳ２５において、ページが残っている場合（Ｓ２５：Ｙｅｓ）には、出力制限設定部２１２は、ステップＳ４２に処理を進める。
【００７３】
ステップＳ４２では、出力制限設定部２１２は、出力制限再設定処理を行う。ここでの処理については、図１７を用いて詳細に説明する。
【００７４】
次に、出力制限設定部２１２は、ステップＳ４２において、ユーザにより読取完了指示が入力されたか否かを判断する（Ｓ４３）。そして、出力制限設定部２１２は、読取完了指示が入力されていない場合（Ｓ４３：Ｎｏ）には、ステップＳ２６に処理を進め、読取完了指示が入力された場合（Ｓ４３：Ｙｅｓ）には、フローを終了する。
【００７５】
ステップＳ２６では、処理部１１１は、読取制御部１４２に指示することで、処理対象ページの画像データを生成させる。そして、読取制御部１４２は、保存制御部１３１に指示することで、生成された画像データを画像データ保存部１３４に保存させる。
【００７６】
次に、出力制限設定部２１２は、ステップＳ２２で出力制限管理情報ＯＲＩ＃２に追加された出力制限の設定又はステップＳ４２で更新された出力制限の設定から、ステップＳ２６で画像データが保存されたページの出力制限値を取得し、ステップＳ２６で画像データが保存されたページに対応付けて、取得した出力制限値を、読取対象となっている原稿の出力制限情報に格納する（Ｓ４４）。なお、出力制限設定部２１２は、ステップＳ４２で出力制限の設定が更新されている場合には、更新された出力制限の設定に従って、出力制限情報に既に格納されている出力制限値についても更新する。
【００７７】
次に、出力制限設定部２１２は、処理対象ページを次のページに更新して（Ｓ２８）、ステップＳ２５に処理を進める。
【００７８】
図１５のステップＳ２６〜Ｓ２８の処理は、図７におけるステップＳ２３〜Ｓ２５までの処理と同様である。
【００７９】
図１７は、出力制限再設定処理を示すフローチャートである。
まず、出力制限設定部２１２は、出力制限管理情報保存部２３３に記憶されている出力制限管理情報ＯＲＩ＃２から、再設定条件を取得する（Ｓ５０）。具体的には、出力制限設定部２１２は、図１４に示されている出力制限管理情報ＯＲＩ＃２において、ＩＤ欄ＯＲＩ＃２１に「１．３．６．１．４．１．２００１．１２０．１」の値が格納されているレコードの対応する値欄ＯＲＩ＃２３に格納されている値を取得する。この値により、再設定条件が示される。
【００８０】
次に、出力制限設定部２１２は、ステップＳ５０で取得された再設定条件が、出力制限の途中変更なしであるか否かを確認する（Ｓ５１）。そして、出力制限設定部２１２は、再設定条件が出力制限の途中変更なしである場合（Ｓ５１：Ｙｅｓ）には、フローを終了し、再設定条件が出力制限の途中変更なしではない場合（Ｓ５１：Ｎｏ）には、ステップＳ５２に処理を進める。
【００８１】
ステップＳ５２では、出力制限設定部２１２は、処理対象ページが再設定条件に一致するか否かを判断する。そして、出力制限設定部２１２は、処理対象ページが再設定条件に一致する場合（Ｓ５２：Ｙｅｓ）には、ステップＳ５３に処理を進め、処理対象ページが再設定条件に一致しない場合（Ｓ５２：Ｎｏ）には、フローを終了する。
【００８２】
ステップＳ５３では、出力制限設定部２１２は、パネル制御部１５３に指示して、図１８又は図１９に示されている出力制限再設定画面２９５＃１、２９５＃２をパネル表示部１５１に表示させる。
【００８３】
図１８は、再設定条件が原稿の終了時である場合の出力制限再設定画面２９５＃１の第１例を示す概略図である。出力制限再設定画面２９５＃１は、再設定条件が原稿の終了時である場合の画面である。図１９は、出力制限再設定画面２９５＃２の第２例を示す概略図である。出力制限再設定画面２９５＃２は、再設定条件がページ毎の再設定及び再設定画面の表示場所指定の場合の画面である。なお、出力制限再設定画面２９５＃１、２９５＃２は、表示領域２９５ａ＃１、２９５ａ＃２に表示されている文字列を除いて、同様に構成されているため、以下では、出力制限再設定画面２９５として説明する。
【００８４】
出力制限再設定画面２９５は、このまま継続指示入力領域２９５ｂと、出力制限を変更指示入力領域２９５ｃと、読取完了指示入力領域２６５ｄとを有する。
このまま継続指示入力領域２９５ｂは、ユーザが出力制限の再設定を行わないことを指示する際に選択される領域である。
出力制限を変更指示入力領域２９５ｃは、ユーザが出力制限の再設定を行うことを指示する際に選択される領域である。出力制限を変更指示入力領域２９５ｃが選択されて、実行指示の入力が行われた場合には、出力制限設定部２１２は、パネル制御部１５３に指示することにより、図１６に示されている出力制限設定画面２９３をパネル表示部１５１に表示させる。
読取完了指示入力領域２９５ｄは、ユーザが出力制限の再設定を行うことなく、読取処理を終了させることを指示する際に選択される領域である。
【００８５】
図１７の説明に戻り、次に、出力制限設定部２１２は、パネル操作部１５２を介して、ユーザにより出力制限が変更されたか否かを判断する（Ｓ５４）。例えば、出力制限設定部２１２は、図１８及び１９に示されている出力制限再設定画面２９５において、出力制限を変更指示入力領域２９５ｃが選択及び実行され、出力制限設定画面２９３において、確定指示入力領域１９３ｏが選択及び実行された場合に、ユーザにより出力制限が変更されたと判断する。一方、出力制限設定部２１２は、出力制限再設定画面２９５において、このまま継続指示入力領域２９５ｂ又は読取完了指示入力領域２９５ｄが選択及び実行された場合に、ユーザにより出力制限が変更されなかったと判断する。そして、出力制限設定部２１２は、出力制限が変更された場合（Ｓ５４：Ｙｅｓ）には、ステップＳ５５に処理を進め、出力制限が変更されなかった場合（Ｓ５４：Ｎｏ）には、フローを終了する。
【００８６】
ステップＳ５５では、出力制限設定部２１２は、図１６に示されている出力制限設定画面２９３を介して入力された出力制限の設定に基づいて、出力制限管理情報ＯＲＩ＃２を更新する。
【００８７】
以上のように、実施の形態２によれば、読み取り途中に出力制眼の指定誤りに気付いた場合でも、最初から読み取りをやり直す手間を省くことができる。
【００８８】
実施の形態３．
（構成の説明）
図２０は、実施の形態３に係る画像処理システム３０の構成を概略的に示すブロック図である。
画像処理システム３０は、複合機３００と、記憶装置３８１とを備える。なお、複合機３００と記憶装置３８１とは、ネットワーク１８０に接続されている。なお、実施の形態３における複合機３００は、実施の形態１に係る複合機１００のデータ保存部１３０を備えず、実施の形態１に係るデータ保存部１３０に記憶されている情報は、記憶装置３８１に記憶されている。そして、実施の形態３における複合機３００は、必要な情報を記憶装置３８１との間で送受信することにより、処理を行っている。
【００８９】
実施の形態３における複合機３００は、制御部３１０と、プログラム格納部１２０と、読取部１４０と、パネル部１５０と、印刷部１６０と、通信処理部１７０と、入出力ＩＦ部１７１とを備える。実施の形態３における複合機３００は、データ保存部１３０が備えられていない点及び制御部３１０での処理の点において、実施の形態１に係る複合機１００と異なっている。
【００９０】
制御部３１０は、複合機３００での処理を制御する。制御部３１０は、処理部３１１と、出力制限設定部３１２と、出力可否判断部３１３とを備える。
処理部３１１は、複合機３００での処理を統括的に制御する。例えば、処理部３１１は、ユーザの認証処理を行う。ここで、処理部３１１は、通信処理部１７０を介して、記憶装置３８１からユーザ情報を取得して、ユーザの認証処理を行う。また、処理部３１１は、読取部１４０で読み取られた画像データを、通信処理部１７０を介して、記憶装置３８１に送信する処理を行う。さらに、処理部３１１は、出力可否判断部３１３で出力が許可されたページの画像データを、通信処理部１７０を介して、記憶装置３８１から取得して、取得した画像データを出力する処理を行う。
出力制限設定部３１２は、読取部１４０で読み取られる原稿のページ毎に、出力制限を設定する処理を行う。ここで、出力制限設定部３１２は、パネル部１５０を介して、入力された出力制限の設定を、出力制限の設定要求として、通信処理部１７０を介して、記憶装置３８１に送り、記憶装置３８１に記憶されている出力制限管理情報に格納させる。また、出力制限設定部３１２は、通信処理部１７０を介して、出力制限管理情報を取得して、読取部１４０で原稿から読み取られた画像データのページに出力制限値を対応付けた出力制限情報を生成するとともに、通信処理部１７０を介して、生成した出力制限情報を記憶装置３８１に記憶させる。
出力可否判断部３１３は、通信処理部１７０を介して、記憶装置３８１から出力制限情報を取得して、ユーザの権限値と、原稿のページ毎に設定された出力制限値とを比較することにより、原稿のページ毎に出力の可否を判断する。
【００９１】
図２１は、実施の形態３における記憶装置３８１の構成を概略的に示すブロック図である。記憶装置３８１は、制御部３８２と、データ保存部３８３と、通信処理部３８８とを備える。
【００９２】
制御部３８２は、記憶装置３８１における処理を制御する。例えば、制御部３８２は、通信処理部３８８を介して、複合機３００からユーザ情報の取得要求を受信する処理を行い、その応答として、データ保存部３８３からユーザ情報を読み出し、読み出したユーザ情報を、通信処理部３８８を介して、複合機３００に送信する処理を行う。また、制御部３８２は、通信処理部３８８を介して、複合機３００から出力制限の格納要求を受信する処理を行い、データ保存部３８３に記憶されている出力制限管理情報に、出力制限の設定を格納する処理を行う。さらに、制御部３８２は、通信処理部３８８を介して、複合機３００から出力制限情報を受信する処理を行い、受信した出力制限情報をデータ保存部３８３に記憶させる。さらにまた、制御部３８２は、通信処理部３８８を介して、複合機３００から出力制限管理情報及び出力制限情報の取得要求を受信する処理を行い、その応答として、データ保存部３８３から出力制限管理情報及び出力制限情報を読み出し、読み出した情報を、通信処理部３８８を介して、複合機３００に送信する処理を行う。
【００９３】
データ保存部３８３は、保存制御部３８４と、ユーザ情報保存部３８５と、出力制限管理情報保存部３８６と、画像データ保存部３８７とを備える。
保存制御部３８４は、制御部３８２からの指示に応じて、ユーザ情報保存部３８５、出力制限管理情報保存部３８６及び画像データ保存部３８７へのデータの記憶及びこれらからのデータ読み出しを行う。
ユーザ情報保存部３８５は、ユーザ毎の認証情報及び権限情報を含むユーザ情報を記憶する。例えば、ユーザ情報保存部３８５は、図２に示されているようなユーザ情報ＵＩを記憶する。
出力制限管理情報保存部３８６は、出力制限管理情報及び出力制限情報を記憶する。例えば、出力制限管理情報は、図３に示されているようなテーブル形式の情報である。
画像データ保存部３８７は、複合機３００から送られてきた画像データを記憶する。
【００９４】
通信処理部３８８は、ネットワーク１８０との間で通信を行う。
【００９５】
以上のように、実施の形態３によれば、複合機３００に、大容量のデータを保存することのできるデータ保存部を備える必要がなくなるため、複合機３００の製造コストを安くすることができる。
【００９６】
以上に記載した実施の形態３において、実施の形態２に示されているように、画像データの読み取りが開始された後に、出力制限値の入力を再度受け付け、出力制限管理情報及び出力制限情報を更新する処理が行われてもよい。
【００９７】
以上に記載した実施の形態１〜３では、ユーザ毎に権限値が１つ設定されているが、ユーザ毎に権限値が複数設定されていてもよい。例えば、それぞれのユーザにおいて、出力の種類毎に権限値が設定されていてもよい。
【００９８】
以上に記載した実施の形態１〜３は、複合機１００、２００、３００を例に説明したが、画像データに基づいて出力を行う出力機能を有するプリンタ及びファクシミリ装置等の画像処理装置にも本発明を適用することができる。
【符号の説明】
【００９９】
１００，２００，３００：複合機、  １１０，２１０，３１０：制御部、  １１１，３１１：処理部、  １１２，２１２，３１２：出力制限設定部、  １１３，３１３：出力可否判断部、  １２０：プログラム格納部、  １３０，２３０：データ保存部、  １３１：保存制御部、  １３２：ユーザ情報保存部、  １３３，２３３：出力制限管理情報保存部、  １３４：画像データ保存部、  １４０：読取部、  １４１：読取機構部、  １４２：読取制御部、  １５０：パネル部、  １５１：パネル表示部、  １５２：パネル操作部、  １５３：パネル制御部、  １６０：印刷部、  １６１：印刷機構部、  １６２：印刷制御部、  １７０：通信処理部、  １７１：入出力ＩＦ部、  ３８１：記憶装置、  ３８２：制御部、  ３８３：データ保存部、  ３８４：保存制御部、  ３８５：ユーザ情報保存部、  ３８６：出力制限管理情報保存部、  ３８７：画像データ保存部、  ３８８：通信処理部、  ３０：画像処理システム。
【図１】
2014007436.tif 000003
【図２】
2014007436.tif 000004
【図３】
2014007436.tif 000005
【図４】
2014007436.tif 000006
【図５】
2014007436.tif 000007
【図６】
2014007436.tif 000008
【図７】
2014007436.tif 000009
【図８】
2014007436.tif 000010
【図９】
2014007436.tif 000011
【図１０】
2014007436.tif 000012
【図１１】
2014007436.tif 000013
【図１２】
2014007436.tif 000014
【図１３】
2014007436.tif 000015
【図１４】
2014007436.tif 000016
【図１５】
2014007436.tif 000017
【図１６】
2014007436.tif 000018
【図１７】
2014007436.tif 000019
【図１８】
2014007436.tif 000020
【図１９】
2014007436.tif 000021
【図２０】
2014007436.tif 000022
【図２１】
2014007436.tif 000023